(57)【要約】【課題】普通有利状態（時短）中に発生した大当り状態の発生状況をも把握することのできる遊技用管理装置を提供すること。【解決手段】遊技機２ａ，２ｂにおける遊技状態を特定可能な遊技状態情報（遊技状態データ）を収集する遊技状態情報収集手段５，６，１４９と、該遊技状態情報収集手段５，６，１４９にて収集した遊技状態情報（遊技状態データ）に基づき、大当り種別を特定する大当り種別特定手段１４２と、前記遊技機２ａ，２ｂにおいて発生した大当りの発生履歴を、前記大当り種別特定手段１４２にて特定した大当り種別とともに大当りの発生順に登録する大当りの履歴記憶手段１４５と、該大当りの履歴記憶手段１４５の記憶内容に基づき、前記遊技機２ａ，２ｂにて発生した大当りを、各大当りの種別を特定可能な情報に対応付けて、各大当りの発生順に出力する大当り履歴出力手段１４７と、備える。【選択図】    図１０
2004166958.tif 000002
【特許請求の範囲】
【請求項１】
打玉を遊技領域に打ち込んで遊技が行われ、普通始動領域に打玉が進入することにより可変表示動作を行う普通可変表示部の表示結果が予め定められた特定の表示態様になったときに、特別始動領域を構成する普通可変入賞球装置が打玉を受け入れ難い或いは受け入れない第２の状態から打玉を受け入れ易い第１の状態に変化し、該普通可変入賞球装置に打玉が入賞することにより可変表示動作を行う特別可変表示部の表示結果が予め定められた特定の表示態様になったときに、遊技者にとって有利な大当り状態になり、前記特定の表示態様のうち特別の表示態様になったときに、前記特別可変表示部の表示結果が前記特定の表示態様となる確率が向上する遊技状態である確率変動状態となり、該確率変動状態中に前記特別可変表示部の表示結果が前記特別の表示態様以外の前記特定の表示態様になったときに前記確率変動状態が終了するとともに、前記特別可変表示部が可変表示動作を所定回数行うまでの間、前記普通可変入賞球装置が前記第１の状態となる頻度が向上する遊技状態である普通有利状態となり、前記確率変動状態中以外の遊技状態である通常遊技状態において前記特別可変表示部の表示結果が前記特別の表示態様以外の特定の表示態様となったときに、前記普通有利状態となる遊技機の管理装置であって、
前記遊技機における前記各々の遊技状態を特定可能な遊技状態情報と、前記大当り状態の発生を特定可能な情報を収集する遊技情報収集手段と、
該遊技情報収集手段にて収集した情報に基づき、前記遊技機において発生した大当りが、前記確率変動状態中、或いは前記普通有利状態中、或いは前記通常遊技状態中のいずれの遊技状態において発生した大当りであるかを示す大当り種別を特定する大当り種別特定手段と、
前記遊技機において発生した大当りの発生履歴を、前記大当り種別特定手段にて特定した大当り種別とともに記憶する大当り履歴記憶手段と、
該大当り履歴記憶手段の記憶内容に基づき、前記遊技機にて発生した大当りを、各大当りの種別を特定可能な情報に対応付けて、各大当りの発生順に出力する大当り履歴出力手段と、
備えることを特徴とする遊技用管理装置。
【請求項２】
打玉を遊技領域に打ち込んで遊技が行われ、普通始動領域に打玉が進入することにより可変表示動作を行う普通可変表示部の表示結果が予め定められた特定の表示態様になったときに、特別始動領域を構成する普通可変入賞球装置が打玉を受け入れ難い或いは受け入れない第２の状態から打玉を受け入れ易い第１の状態に変化し、該普通可変入賞球装置に打玉が入賞することにより可変表示動作を行う特別可変表示部の表示結果が予め定められた特定の表示態様になったときに、遊技者にとって有利な大当り状態になり、前記特定の表示態様のうち特別の表示態様になったときに、前記特別可変表示部の表示結果が前記特定の表示態様となる確率が向上する遊技状態である確率変動状態となり、該確率変動状態中に前記特別可変表示部の表示結果が前記特別の表示態様以外の前記特定の表示態様になったときに前記確率変動状態が終了するとともに、前記特別可変表示部が可変表示動作を所定回数行うまでの間、前記普通可変入賞球装置が前記第１の状態となる頻度が向上する遊技状態である普通有利状態となる遊技機の管理装置であって、
前記遊技機における前記各々の遊技状態を特定可能な遊技状態情報と、前記大当り状態の発生を特定可能な情報を収集する遊技情報収集手段と、
該遊技情報収集手段にて収集した情報に基づき、前記遊技機において発生した大当りが、前記確率変動状態中、或いは前記普通有利状態中、或いは前記通常遊技状態中のいずれの遊技状態において発生した大当りであるかを示す大当り種別を特定する大当り種別特定手段と、
前記遊技機において発生した大当りの発生履歴を、前記大当り種別特定手段にて特定した大当り種別とともに記憶する大当り履歴記憶手段と、
該大当り履歴記憶手段の記憶内容に基づき、前記遊技機にて発生した大当りを、各大当りの種別を特定可能な情報に対応付けて、各大当りの発生順に出力する大当り履歴出力手段と、
備えることを特徴とする遊技用管理装置。
【請求項３】
前記遊技機毎の前記通常遊技状態中における大当りの発生回数を集計する通常大当り回数集計手段と、該通常大当り回数集計手段にて集計された遊技機毎の前記通常遊技状態中における大当りの発生回数を出力する通常大当り回数出力手段と、を備える請求項１または２に記載の遊技用管理装置。
【請求項４】
前記遊技情報収集手段にて収集された前記遊技状態情報に基づいて、前記通常遊技状態において前記特別可変表示部の表示結果が前記特定の表示態様となって大当りが発生してから再び前記通常遊技状態となるまでの期間を１つの遊技単位として判定する遊技単位判定手段と、該１つの遊技単位内における前記大当りの発生回数を前記１つの遊技単位毎に記憶する大当り発生回数記憶手段と、該大当り発生回数記憶手段の記憶内容に基づき、前記１つの遊技単位内における前記大当りの発生回数の平均を算出する遊技単位内平均大当り回数算出手段と、を備える請求項１〜３のいずれかに記載の遊技用管理装置。
【請求項５】
前記大当り種別特定手段は、前記大当り状態中において前記遊技機から出力される大当り信号と、前記大当り状態中或いは前記確率変動状態中或いは前記普通有利状態中のいずれかの状態において前記遊技機から出力される非通常遊技状態信号と、前記普通有利状態中において前記遊技機から出力される普通有利状態信号と、に基づいて発生した大当り種別を特定する請求項１〜４のいずれかに記載の遊技用管理装置。
【発明の詳細な説明】
【０００１】
【発明の属する技術分野】
本発明は、遊技機における遊技情報を管理する遊技用管理装置に関する。
【０００２】
【従来の技術】
従来、遊技機、特に大当り状態となる確率が変動する確率変動状態となる遊技機を管理する遊技用管理装置として、各遊技機において発生した大当り状態の発生状況を、各大当り状況が確率変動中において発生したものか、或いは確率変動中以外の低確率状態において発生したものかを識別可能に表示するものがあった（特許文献１）。
【０００３】
【特許文献１】
特開２０００−１４０３６８号公報  （第１１〜１２頁、第９図）
【０００４】
【発明が解決しようとする課題】
近年の遊技場においては、確率変動状態へ移行しない大当りの終了後において、特別可変表示部の可変表示が開始される特別始動領域を構成する普通可変入賞球装置が、打玉を受け入れ難い或いは受け入れない第２の状態から打玉を受け入れ易い第１の状態に変化する頻度が向上する普通有利状態（時短）が発生する遊技機が導入されてきており、遊技場側としては、これら普通有利状態（時短）中に発生した大当りを把握したいという要望があるが、前記従来の遊技用管理装置においては、これら普通有利状態（時短）中に発生した大当りを把握できず、遊技場側の要望に答えることができないという問題があった。
【０００５】
よって、本発明は上記した問題点に着目してなされたもので、前記普通有利状態（時短）中に発生した大当り状態の発生状況をも把握することのできる遊技用管理装置を提供することを目的としている。
【０００６】
【課題を解決するための手段】
前記した問題を解決するために、本発明の遊技用管理装置は、打玉を遊技領域に打ち込んで遊技が行われ、普通始動領域に打玉が進入することにより可変表示動作を行う普通可変表示部の表示結果が予め定められた特定の表示態様になったときに、特別始動領域を構成する普通可変入賞球装置が打玉を受け入れ難い或いは受け入れない第２の状態から打玉を受け入れ易い第１の状態に変化し、該普通可変入賞球装置に打玉が入賞することにより可変表示動作を行う特別可変表示部の表示結果が予め定められた特定の表示態様になったときに、遊技者にとって有利な大当り状態になり、前記特定の表示態様のうち特別の表示態様になったときに、前記特別可変表示部の表示結果が前記特定の表示態様となる確率が向上する遊技状態である確率変動状態となり、該確率変動状態中に前記特別可変表示部の表示結果が前記特別の表示態様以外の前記特定の表示態様になったときに前記確率変動状態が終了するとともに、前記特別可変表示部が可変表示動作を所定回数行うまでの間、前記普通可変入賞球装置が前記第１の状態となる頻度が向上する遊技状態である普通有利状態となり、前記確率変動状態中以外の遊技状態である通常遊技状態において前記特別可変表示部の表示結果が前記特別の表示態様以外の特定の表示態様となったときに、前記普通有利状態となる遊技機の管理装置であって、
前記遊技機における前記各々の遊技状態を特定可能な遊技状態情報と、前記大当り状態の発生を特定可能な情報を収集する遊技情報収集手段と、
該遊技情報収集手段にて収集した情報に基づき、前記遊技機において発生した大当りが、前記確率変動状態中、或いは前記普通有利状態中、或いは前記通常遊技状態中のいずれの遊技状態において発生した大当りであるかを示す大当り種別を特定する大当り種別特定手段と、
前記遊技機において発生した大当りの発生履歴を、前記大当り種別特定手段にて特定した大当り種別とともに記憶する大当り履歴記憶手段と、
該大当り履歴記憶手段の記憶内容に基づき、前記遊技機にて発生した大当りを、各大当りの種別を特定可能な情報に対応付けて、各大当りの発生順に出力する大当り履歴出力手段と、
備えることを特徴としている。
この特徴によれば、前記大当り履歴出力手段により、各大当りの発生が、該大当りの種別を特定可能な情報に対応付けて出力されることで、前記普通有利状態中に発生した大当り状態の発生状況をも把握することができる。
【０００７】
本発明の遊技用管理装置は、打玉を遊技領域に打ち込んで遊技が行われ、普通始動領域に打玉が進入することにより可変表示動作を行う普通可変表示部の表示結果が予め定められた特定の表示態様になったときに、特別始動領域を構成する普通可変入賞球装置が打玉を受け入れ難い或いは受け入れない第２の状態から打玉を受け入れ易い第１の状態に変化し、該普通可変入賞球装置に打玉が入賞することにより可変表示動作を行う特別可変表示部の表示結果が予め定められた特定の表示態様になったときに、遊技者にとって有利な大当り状態になり、前記特定の表示態様のうち特別の表示態様になったときに、前記特別可変表示部の表示結果が前記特定の表示態様となる確率が向上する遊技状態である確率変動状態となり、該確率変動状態中に前記特別可変表示部の表示結果が前記特別の表示態様以外の前記特定の表示態様になったときに前記確率変動状態が終了するとともに、前記特別可変表示部が可変表示動作を所定回数行うまでの間、前記普通可変入賞球装置が前記第１の状態となる頻度が向上する遊技状態である普通有利状態となる遊技機の管理装置であって、
前記遊技機における前記各々の遊技状態を特定可能な遊技状態情報と、前記大当り状態の発生を特定可能な情報を収集する遊技情報収集手段と、
該遊技情報収集手段にて収集した情報に基づき、前記遊技機において発生した大当りが、前記確率変動状態中、或いは前記普通有利状態中、或いは前記通常遊技状態中のいずれの遊技状態において発生した大当りであるかを示す大当り種別を特定する大当り種別特定手段と、
前記遊技機において発生した大当りの発生履歴を、前記大当り種別特定手段にて特定した大当り種別とともに記憶する大当り履歴記憶手段と、
該大当り履歴記憶手段の記憶内容に基づき、前記遊技機にて発生した大当りを、各大当りの種別を特定可能な情報に対応付けて、各大当りの発生順に出力する大当り履歴出力手段と、
備えることを特徴としている。
この特徴によれば、前記大当り履歴出力手段により、各大当りの発生が、該大当りの種別を特定可能な情報に対応付けて出力されることで、前記普通有利状態中に発生した大当り状態の発生状況をも把握することができる。
【０００８】
本発明の遊技用管理装置は、前記遊技機毎の前記通常遊技状態中における大当りの発生回数を集計する通常大当り回数集計手段と、該通常大当り回数集計手段にて集計された遊技機毎の前記通常遊技状態中における大当りの発生回数を出力する通常大当り回数出力手段と、を備えることが好ましい。
このようにすれば、前記通常遊技状態中における大当り状態の総発生回数を簡便に把握することができる。
【０００９】
本発明の遊技用管理装置は、前記遊技情報収集手段にて収集された前記遊技状態情報に基づいて、前記通常遊技状態において前記特別可変表示部の表示結果が前記特定の表示態様となって大当りが発生してから再び前記通常遊技状態となるまでの期間を１つの遊技単位として判定する遊技単位判定手段と、該１つの遊技単位内における前記大当りの発生回数を前記１つの遊技単位毎に記憶する大当り発生回数記憶手段と、該大当り発生回数記憶手段の記憶内容に基づき、前記１つの遊技単位内における前記大当りの発生回数の平均を算出する遊技単位内平均大当り回数算出手段と、を備えることが好ましい。
このようにすれば、前記１つの遊技単位において、平均してどの程度の大当り状態が連続して発生しているかを簡便に把握することができる。
【００１０】
本発明の遊技用管理装置の前記大当り種別特定手段は、前記大当り状態中において前記遊技機から出力される大当り信号と、前記大当り状態中或いは前記確率変動状態中或いは前記普通有利状態中のいずれかの状態において前記遊技機から出力される非通常遊技状態信号と、前記普通有利状態中において前記遊技機から出力される普通有利状態信号と、に基づいて発生した大当り種別を特定することが好ましい。
このようにすれば、前記大当り状態が発生した際の遊技状態を正確に特定することができる。
【００１１】
【発明の実施の形態】
以下、本発明の実施例を図面に基づいて説明する。
（実施例）
まず図１は、本発明の遊技用管理装置が適用された遊技用システムの構成を示す図であり、図２は、本実施例の遊技用システムに用いた遊技機であるパチンコ機２ａ，２ｂ並びにカードユニット３を示す正面図であり、図３は、該パチンコ機の操作部を示す図であり、図４は、本実施例に用いた遊技用管理装置であるホールコンピュータ１４０の構成を示す図であり、図５は、本実施例に用いたパチンコ機２ａ，２ｂと遊技用管理装置であるホールコンピュータ１４０との接続状態を示すブロック図であり、図６は、パチンコ機２ａ，２ｂから出力される各信号の出力形態を示す図であり、図７は、本実施例に用いた収集ユニットにおける入力信号と送信データの相関を示す図であり、図８は、本発明に用いたホールコンピュータ１４０における遊技状態判定処理の処理内容を示すフロー図であり、図９は、本発明に用いたホールコンピュータ１４０に記憶されている遊技情報テーブルの構成を示す図である。
【００１２】
まず、本実施例の遊技用管理装置が適用された遊技用システムの構成は、図１に示すように、遊技場において複数配置された遊技島に並設される遊技機であるカードリーダ式パチンコ機（以下パチンコ機）２ａ，２ｂと、該パチンコ機２ａ，２ｂに対して１対１に対応設置されるプリペイドカードを使用可能とするためのカードユニット３と、各パチンコ機２ａ，２ｂの遊技機の情報を収集する収集ユニット５、該収集ユニット５にて収集された遊技機の情報を接続されている各収集ユニット５から更に収集する中継ユニット６と、各中継ユニット６にて収集された遊技機の情報を受信し、該収集された遊技機の情報に基づいて各パチンコ機２における遊技状態や始動回数や大当り回数等の遊技に関する情報を管理するホールコンピュータ１４０と、から主に構成されている。
【００１３】
パチンコ機２ａ，２ｂと前記収集ユニット５とは信号ケーブル９を介して接続されており、該収集ユニット５は通信ケーブル１０を介して中継ユニット６と接続されており、収集ユニット５と中継ユニット６とが簡易ローカルエリアネットワークにより双方向にデータ通信可能とされていて、中継ユニット６からのデータ出力指示に基づいて、収集ユニット５が各パチンコ機２ａ，２ｂから収集したデータを送信するようになっている。
【００１４】
更に、これら中継ユニット６はハブ７を介して通信ケーブル８にてホールコンピュータ１４０に接続されていて、中継ユニット６とホールコンピュータ１４０とが、比較的高速のデータ通信可能なローカルエリアネットワークにより双方向にデータ通信可能とされていて、前記中継ユニット６にて各収集ユニット５から収集された各パチンコ機２ａ，２ｂから収集したデータがまとめられて、前記ホールコンピュータ１４０に所定時間毎に送信されることで、該ホールコンピュータ１４０が各パチンコ機２ａ，２ｂに関する情報を収集して管理できるようになっている。
【００１５】
まず、本実施例に用いた前記パチンコ機２ａ，２ｂについて説明すると、本実施例では、パチンコ機２ａ，２ｂの双方ともがカードリーダ式パチンコ機であり、後述するように、その機器構成はほぼ同一とされているが、大当りの発生後におおいて付与される普通有利状態の付与形態の違い、具体的には全ての後述する全ての通常大当りの後に普通有利状態が付与される形態（フルスペック）のパチンコ機２ａと、確変大当り発生後の確率変動中において発生した通常大当りの終了の後においてのみ普通有利状態が付与される形態（ハーフペック）のパチンコ機２ｂとを用いている。
【００１６】
まず、本実施例に用いた遊技機であるパチンコ機２ａについて簡単に説明すると、該パチンコ機２ａは、図２に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下操作ノブ）２０５とが設けられている。
【００１７】
また、前記操作部１４の上面には、図３に示すように、前記カードユニット３においてプリペイドカードより読み出された度数が表示される度数表示部１７と、遊技の開始または前記打球供給皿２０３に持玉が少なくなったか或いは無くなった際に押圧操作されることで、前記度数表示部１７に度数が存在する場合に所定数量のパチンコ玉の貸出がパチンコ機２ａより実施される貸出ボタンスイッチ１６と、遊技の終了時にて前記カードユニット３に受付中のプリペイドカードを返却させるための返却ボタンスイッチ１５と、が設けられており、これら各部は操作部１４内部に設けられている操作基板１８上に実装されている。
【００１８】
前記ガラス扉枠２０２の後方には、図２に示すように、遊技盤２０６が着脱可能に取付けられている。また、遊技盤２０６の前面には遊技領域２０７が設けられている。この遊技領域２０７の中央付近には、「特別図柄」と呼ばれる複数種類の識別情報が可変表示される特別可変表示部２０９と、「普通図柄」と呼ばれる複数種類の識別情報が可変表示される普通可変表示部２１０とが設けられている。また遊技盤２０６には、複数の入賞口２２４や通過ゲート２１１、始動入賞口２１４と可動片２１５から構成された可変始動入賞球装置２１３、大当り状態において開成する開閉板２２０を備える可変入賞球装置２１６が設けられているとともに、遊技領域２０７の下部には、入賞しなかった打込玉を回収するアウト口２２６が形成されている。
【００１９】
前記打球操作ノブ２０５の操作によって揺動されるハンマー（図示略）によって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００２０】
また、前記遊技領域２０７に打ち込まれた打込玉が通過ゲート２１１を通過すると、普通可変表示部２１０に停止表示されている普通図柄が可変開始する。
【００２１】
普通可変表示部２１０の可変表示動作後の表示結果が予め定められた特定の表示結果（たとえば７）となった場合に、前記可変始動入賞球装置２１３に設けられた可動片２１５が遊技者にとって不利な第２の状態から所定時間（本実施例では０．５秒間）開成して遊技者にとって有利な第１の状態となる。
【００２２】
また、始動入賞口２１４にパチンコ玉が入賞すると、特別可変表示部２０９において全特別図柄が可変表示（変動表示）を開始する。そして、その後、左、中、右の特別図柄が停止し、その停止表示結果が予め定められた特定の表示態様（たとえば７７７や４４４）となった場合に、特定遊技状態（大当り状態）が発生する。このように大当り状態が発生した場合には、可変入賞球装置２１６に設けられた開閉板２２０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。第１の状態となっている可変入賞球装置２１６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００２３】
また、前記特別可変表示部２０９で可変表示された左、中、右の特別図柄が所定の確率変動図柄に一致した大当り図柄の組合せ（たとえば７７７や３３３）で停止表示される特別の表示態様となったときには、前記繰返し継続制御による「大当り」の終了後に、再度大当りとなる確率が通常の確率状態よりも高い確率状態となる確率変動状態となるようになっており、これら確率変動図柄での大当りを、前記確率変動図柄以外（たとえば４４４や８８８）の「通常の大当り」と区別して「確変大当り」と呼称し、これら確変大当りの発生に伴って後述する大当り信号が外部に出力される。
【００２４】
これら確率変動状態においては、確率変動状態であることが遊技効果ランプ等の点灯態様が確率変動状態に対応した態様に変更されることで報知されるとともに、次の大当りが発生するまでの間において、前記可変始動入賞球装置２１３に設けられた可動片２１５が遊技者にとって有利な第１の状態となる頻度が、前記可変表示装置２１０の普通図柄の可変表示開始から停止表示までの時間が通常の遊技状態よりも短縮（本実施例では前記可変表示から停止表示までの時間が通常遊技状態において３０秒から３秒へ短縮）されることで向上されるとともに、前記可動片２１５が開成している期間が通常遊技状態よりも延長（通常遊技状態では０．５秒が３秒に延長）されることで、前記特別可変表示部２０９での可変表示が開始される始動入賞がし易い状態が保持されるとともに、該始動入賞に伴う賞球が払い出されることで、これら確率変動状態中において、遊技者の持ち玉が大きく減少しないようになっている。
【００２５】
これら確率変動状態中において発生した大当りが、再度、確率変動図柄による「確変大当り」である場合には、該大当り状態の終了後に再度確率変動状態となり、これら確率変動状態が該確率変動状態中において発生した大当りが「確変大当り」である場合に継続されることで大当り状態が連続して発生する連荘状態となる。
【００２６】
また、確率変動状態中において発生した大当りが、前記確率変動図柄以外の「通常の大当り」であった場合には、該大当り状態の終了後には前記確率変動状態とならずに、前記可変表示部２０９が可変表示動作を所定回数（例えば１００回）行うまでの間、前記始動入賞口２１４に設けられた可動片２１５が、遊技者にとって有利な第１の状態に変化する頻度が向上する時短状態（普通有利状態）が発生する。
【００２７】
これら時短状態における遊技者にとって有利な第１の状態である可動片２１５が開成状態となる頻度の向上は、前記確率変動中における可動片２１５の開成頻度の向上とほぼ同様に、前記可変表示装置２１０の普通図柄の可変表示から停止表示までの時間が通常の遊技状態よりも短縮（本実施例では前記可変表示から停止表示までの時間が通常遊技状態において３０秒から３秒へ短縮）されることで向上されるとともに、前記可動片２１５が開成している期間が通常遊技状態よりも延長（通常遊技状態では０．５秒が３秒に延長）されることで、前記特別可変表示部２０９での可変表示が開始される始動入賞がし易い状態が保持されるとともに、該始動入賞に伴う賞球が払い出されることで、これら時短状態中において、遊技者の持ち玉が大きく減少しないようになっている。
【００２８】
尚、本実施例では、これら時短状態中における遊技者にとって有利な第１の状態である可動片２１５が開成状態となる頻度の向上を、前確率変動状態の場合と同一としているが、本発明はこれに限定されるものではなく、これらの頻度の向上の形態を、時短状態中と確率変動中において個別の形態としても良い。
【００２９】
更に、本実施例のパチンコ機２ａにおいては、前記時短状態が、確率変動状態中以外において発生した「通常の大当り」の終了後においても、前記した時短状態の付与が、前記可変表示部２０９が可変表示動作を所定回数（例えば１００回）行うまでの間において付与される、つまり、本実施例のパチンコ機２ａにおいては、全ての「通常の大当り」の終了後において前記時短状態が付与されるようになっている。尚、本実施例に用いたフルスペックのパチンコ機２ａでは、これら確率変動状態中以外において発生した「通常の大当り」の終了後に付与される時短状態の可変表示動作回数（例えば１００回）を、前記確率変動状態中において発生した「通常の大当り」の終了後に付与される時短状態の可変表示動作回数（例えば１００回）と同様としているが、本発明はこれに限定されるものではなく、前記確率変動状態中以外において発生した「通常の大当り」の終了後に付与される時短状態の可変表示動作回数を、前記確率変動状態中において発生した「通常の大当り」の終了後に付与される時短状態の可変表示動作回数よりも少ない可変表示動作回数（例えば３０回）とするようにしても良い。
【００３０】
次いで、本実施例に用いた前記ハーフスペックのパチンコ機２ｂについて説明すると、前記したフルスペックのパチンコ機２ａと構成等は同一であることから説明を省略し、フルスペックのパチンコ機２ａと異なる点について説明すると、前記フルスペックのパチンコ機２ａにおいては、前記時短状態の付与が全ての「通常の大当り」後に付与されるのに対し、ハーフスペックのパチンコ機２ｂでは、前記「確変大当り」の発生後に付与される前記確率変動状態において発生した「通常の大当り」の後においてのみ、前記した時短状態の付与が前記可変表示部２０９が可変表示動作を所定回数（例えば１００回）行うまでの間、実施されるようになっており、前記確率変動状態以外の通常遊技状態において前記「通常の大当り」が発生した場合には、前記時短状態の付与が実施されないようになっている。
【００３１】
これら本実施例に用いたパチンコ機２ａ，２ｂの構成を図５に基づいて説明すると、該パチンコ機２ａ，２ｂには、前記可変表示部２０９の表示制御を行う表示制御基板２８０と、前記打球操作ハンドル２０５の操作に基づき打球供給皿２０３に払い出されたパチンコ玉を遊技領域２０７に発射する打球発射装置の制御を行う発射制御基板２９１と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行うとともに、前記玉払出装置２９７から払い出された賞球数の情報を出力する賞球制御基板２３７と、遊技効果ランプ等の制御を実施するランプ制御基板２３５と、スピーカから出力される音声の制御を行う音声制御基板２７０と、前記大当り状態や前記時短状態や前記大当り状態或いは確率変動状態或いは時短状態のいずれかの状態（通常遊技状態以外の状態）を示す情報と、前記可変表示部２０９における可変表示の始動開始の情報、並びに各入賞口への入賞情報が、所定の信号形態にて出力する情報出力基板２９８と、これら各部の制御を実施する遊技制御基板２３１と、が設けられており、これらは図６に示すように接続され、前述の打球供給皿２０３に払い出されたパチンコ玉を使用して遊技を実施できるようになっている。
【００３２】
また、前記賞球制御基板２３７は、信号ケーブル９の一部を通じて前記収集ユニット５に接続されていて、前記玉払出装置２９７から払い出された賞球数の所定球数毎（例えば１０個毎）に所定時間幅のパルスとして賞球信号を該収集ユニット５に出力するとともに、前記カードユニット３内に設けられている制御ユニットに信号ケーブルを介して接続されていて、台端末貸出完了信号（ＥＸＳ）や台ＲＥＡＤＹ信号（ＰＲＤＹ）が前記カードユニット３の制御ユニットに出力するようになっているとともに、該制御ユニットより出力されるカードユニットＲＥＡＤＹ信号（ＢＲＤＹ）や台端末貸出要求完了確認信号（ＢＲＱ）が入力されるようになっていて、これらの信号の授受に基づいて、該賞球制御基板２３７が前記玉払出装置２９７からのパチンコ玉の払い出しを実施することで、該カードユニット３に挿入されたプリペイドカードに記録されている度数を使用したパチンコ玉の貸出が、パチンコ機２ａ，２ｂにおいて実施されるようになっている。
【００３３】
また、前記情報出力基板２９８は、図５に示すように、信号ケーブル９を介して収集ユニット５に接続されており、該情報出力基板２９８からは、図６に示すように大当り発生中において継続して出力される大当り信号や、前記時短状態中において継続して出力される時短信号や、前記大当り状態中或いは前記時短状態中或いは確率変動状態中のいずれかの状態中において継続して出力される非通常遊技状態信号に加えて、前記特別可変表示部２０９における特別図柄の停止表示時に所定時間幅のパルスとして出力されるスタート信号や、前記遊技領域２０７に設けられた各入賞口へパチンコ玉が入賞する毎に所定時間幅のパルスとして出力される入賞球信号１、入賞球信号２、入賞球信号３の各信号が、信号ケーブル９を介して収集ユニット５に出力される。
【００３４】
尚、前記信号ケーブル９の一部は、パチンコ機２ａ，２ｂの下方に、該パチンコ機２ａ，２ｂにおいて遊技に使用されたパチンコ玉を計数するために設けられているアウト球計数器２６（図２参照）に接続されており、該アウト球計数器２６において所定球数のアウト玉（打込玉）数が計数される毎に所定時間幅のパルスとして出力されるアウト玉計数信号が、前記収集ユニット５に出力されるようになっている。
【００３５】
このようにして各パチンコ機２ａ，２ｂの情報出力基板２９８並びに賞球制御基板２３７からの各出力信号と、各パチンコ機２ａ，２ｂに対応して設けられているアウト球計数器２６からの出力信号とが、収集ユニット５に出力されることで、図７に示すように、該収集ユニット５において、前記大当り信号と時短信号並びに非通常遊技状態信号の有無に基づく状態データが生成されるとともに、前記した賞球信号、アウト玉計数信号、スタート信号、入賞球信号１、入賞球信号２、入賞球信号３の各パルス信号の出力があった場合には、該信号出力に基づいて、信号数が累積加算されることで、前記中継ユニット６からのデータ要求に基づいて収集ユニット５から該中継ユニット６に対して、所定のデータヘッダに続いて、該収集ユニット５を識別可能に付与されたユニットＩＤと各信号の出力元であるパチンコ機２ａ，２ｂの台番号とともに、前記生成された遊技状態データ、並びに前記賞球信号の累積加算値である賞球データ、前記アウト玉計数信号の累積加算値である打込データ、前記スタート信号の累積加算値であるスタート回数データ、前記入賞球信号１の累積加算値である入賞球数データ１、前記入賞球信号２の累積加算値である入賞球数データ２、前記入賞球信号３の累積加算値である入賞球数データ３と、送信データのエラー修正に使用されるＥＣＣデータが配列された送信データ列が送信される。
【００３６】
尚、本実施例では、４台のパチンコ機２ａ，２ｂに対して１台の収集ユニット５を配置して、該４台のパチンコ機２ａ，２ｂから出力される各信号を１台の収集ユニット５にて収集し、該収集した４台のパチンコ機２ａ，２ｂに関する送信データを前記中継ユニット６に送信するようになっている。
【００３７】
また、これら中継ユニット６には最大で４４台の前記収集ユニット５が接続可能とされていて、１台の中継ユニット６にて、４４（収集ユニット）×４（各収集ユニット５に接続可能なパチンコ機２ａ，２ｂの台数）＝１７６台のパチンコ機２ａ，２ｂの情報を所定期間毎（本実施例では約１０秒に１回）に収集して前記ホールコンピュータ１４０に送信するようになっており、前記ハブ７には最大１０台の中継ユニット６が接続可能とされていて、総合計として１７６×１０＝１７６０台のパチンコ機２ａ，２ｂの情報を収集、管理できるようになっている。
【００３８】
尚、前記した中継ユニット６は、前記したように、所定時間間隔（約１０秒）毎に、接続されている全収集ユニット５から収集したデータを、前記ホールコンピュータ１４０に送信するようになっているが、これらは通常状態においてのみであり、各パチンコ機２ａ，２ｂにおいて大当り状態や確変状態並びに時短状態が発生或いは移行した場合には、緊急状態として該パチンコ機２ａ，２ｂの送信データが、割込の送信データとして、通常の送信とは個別とされて迅速にホールコンピュータ１４０に送信されることにより、ホールコンピュータ１４０がこれらパチンコ機２ａ，２ｂにて大当り状態や確変状態並びに時短状態の発生或いは移行を、遅滞なく把握できるようになっている。
【００３９】
ここで、本実施例に用いたホールコンピュータ１４０の構成について図４に基づいて説明すると、該ホールコンピュータ１４０は、コンピュータ内部にてデータの送受を行うデータバス１４１に、各パチンコ機２ａ，２ｂから収集された各情報に基づいて、各パチンコ機２ａ，２ｂにおける遊技状態の判定処理や、後述する遊技情報テーブルの内容や遊技単位テーブルの内容並びに大当り情報テーブルの内容を更新、集計する更新集計処理や、これら各情報テーブルのデータを表示する表示処理等を実施するＣＰＵ１４２、ワークメモリ等として使用されるＲＡＭ１４３、時刻情報やカレンダ情報を出力するＲＴＣ１４４、磁気ディスクや光磁気ディスクから成る記憶装置１４５、各台番号のパチンコ機２ａ，２ｂの機種情報の受付け等を行うためのキーボードやマウス等の入力装置１４６、前記各情報テーブルのデータを表示出力するための表示装置１４７や、前記各情報テーブルのデータを印刷出力するためのプリンタ１４８、前記各中継ユニット６とのデータ通信を行う通信部１４９、が接続された通常のコンピュータである。
【００４０】
また、前記記憶装置１４５には、該ホールコンピュータ１４０が実施する各パチンコ機２ａ，２ｂにおける遊技状態の判定処理や前記各情報テーブルの内容を更新、集計する更新集計処理や、これら各情報テーブルのデータを表示する表示処理を実施するための処理プログラムに加えて、図９に示すように、各パチンコ機２ａ，２ｂの機種や遊技状態並びに収支や大当り回数等の遊技情報が更新記憶される遊技情報テーブルや、図１０に示す大当り情報画面を表示するために、該大当り情報画面と同様に各パチンコ機２ａ，２ｂの台番号毎に該パチンコ機２ａ，２ｂにて発生した大当りに関する情報が記憶される大当り情報テーブルや、図１１に示す遊技単位情報画面を表示するために、該遊技単位情報画面と同様に、図８に示す遊技状態判定処理における遊技単位判定において１つの遊技単位と判定された各遊技単位中における各情報が記憶される遊技単位情報テーブルとが記憶されている。
【００４１】
本実施例の前記遊技情報テーブルには、図９に示すように、遊技機であるパチンコ機２ａ，２ｂに固有に付与された台番号に対応付けて、該パチンコ機２ａ，２ｂの機種と、これら同一機種のパチンコ機２ａ，２ｂが１つのグループとされて登録されるグループ番号と、打込玉数の変化の有無による稼働状況と、前記収集ユニット５から送信されてきた各パチンコ機２ａ，２ｂの最新（前回受信時）の遊技状態データと、前記送信データ列中の賞球データに基づく賞球数、前記送信データ列中の打込データに基づく打込玉数、これら賞球数と打込玉数の差に基づく遊技場側の収支と、前記送信データ列中のスタート回数データに基づく総スタート回数、図８の遊技状態判定において大当り判定が実施された回数である大当り回数、前記総スタート回数と大当り回数との比である大当り確率、並びに各大当り間のスタート回数と、遊技単位を判定するための遊技単位開始フラグとが、登録されている。
【００４２】
尚、本実施例において機種ａは前記フルスペックのパチンコ機２ａの機能を有する機種であり、機種ｂは、前記ハーフスペックのパチンコ機２ｂの機能を有する機種である。
【００４３】
また、本実施例の前記大当り情報テーブルには、図１０に示す大当り情報画面と同様に、各パチンコ機２ａ，２ｂの台番号毎に該パチンコ機２ａ，２ｂにて発生した大当りが大当りの発生順に登録されており、これら各大当り毎にその大当りの種別（確変中大当り、時短中大当り、通常遊技状態中大当り）を示すマークと、該大当りが発生した時間と、該大当り状態中における差玉と、前回の大当り（１回目は「０」から）から該大当りまでの間の特賞間におけるスタート回数である特賞間スタート回数と、該特賞間における打込玉数である特賞間打込玉数と、該特賞間における賞球数である特賞間賞球数と、該特賞間における前記特賞間スタート回数と前記特賞間打込玉数との比である特賞間始動率と、該特賞間における前記特賞間賞球数と特賞間打込玉数との比である特賞間ベース等の情報とが対応付けて登録されている。
【００４４】
また、本実施例の前記遊技単位情報テーブルには、図１１に示す遊技単位情報画面と同様に、各パチンコ機２ａ，２ｂの台番号毎に対応付けて、後述する図８に示す遊技状態判定処理において判定される各遊技単位が、各遊技単位の発生順に登録されており、これら各遊技単位毎に、該遊技単位の始まりとなった初当たり（通常遊技状態中大当り）の発生時刻と、前回の遊技単位が終了してからその遊技単位の開始となる初当たりが発生する間におけるスタート回数である遊技単位間スタート回数と、その遊技単位中における賞球数である遊技単位中賞球数と、その遊技単位中における打込玉数である遊技単位中打込玉数と、前記遊技単位中賞球数と遊技単位中打込玉数との差に基づく該遊技単位中における差玉数である遊技単位中差玉数とが登録されているとともに、これら各登録データの平均が算出されるようになっている。
【００４５】
ここで、本実施例のホールコンピュータ１４０が各パチンコ機２ａ，２ｂにおける遊技状態並びに遊技単位を判定するために実施する遊技状態判定処理を、図８に基づいて説明すると、ホールコンピュータ１４０は、所定時間毎或いは割込的に前記中継ユニット６から送信されてくる受信データを一時記憶するとともに、該受信データ中において更新対象とする台番号のデータを、前記送信データ列中の台番号から特定して取得する（Ｓ１）。
【００４６】
次いで、取得した送信データ列中の遊技状態データが通常遊技状態を示す低確率通常状態に対応する「０００」であるかを判定する。通常、遊技を開始して初当たりとなるまでは、この低確率通常状態に対応する「０００」がパチンコ機２ａ，２ｂから送信されるため、該Ｓ２の判定において一致と判定されてＳ１５へ進むことで「低確率通常状態」と判定されるとともに、Ｓ１６へ進んで遊技単位開始フラグの有無が判定される。
【００４７】
この遊技単位開始フラグの有無判定において、通常、遊技を開始して初当たりとなるまでは、遊技単位開始フラグが存在しないために再度Ｓ１に戻って、次の更新対象の台番号の判定に移行する。
【００４８】
パチンコ機２ａ，２ｂにおいて初当たりが発生した場合には、前記送信データ列中の遊技状態データが、大当り中を示す「１１０」となることから、前記Ｓ２の判定において「０００」に一致しないことからＳ３に進んで「１１０」に一致と判断されてＳ７に進むことで、「大当り状態」と判定される。
【００４９】
該「大当り状態」の判定の後、Ｓ８へ進んで遊技単位開始フラグの有無を判定する。初当たりの場合には、これら遊技単位開始フラグはないことからＳ９に進んで遊技単位開始フラグをセット（図９の遊技情報テーブルのフラグデータを１に変更する）した後、Ｓ１０に進んで、該遊技単位の開始に基づいて、図１１に示す遊技単位情報テーブルに次順位（稼働開始からの初当たりでは１回目）の新たな遊技単位を登録するとともに、該新規遊技単位に対応する発生時刻に、該遊技単位の開始となった本初当たりの開始時刻を登録するとともに、前回の遊技単位終了時（稼働開始後の初当たりの場合には稼働開始時点から）からのスタート回数を算出して登録する。
【００５０】
次いで、Ｓ１１へ進んで、該遊技単位開始時点での打込玉数と賞球数とを一時記憶しておき、新たな遊技状態データの受信毎に、該遊技状態データに含まれる打込玉数と賞球数から該一時記憶した打込玉数と賞球数とを減算した遊技単位中打込玉数と遊技単位中賞球数とを算出更新することで、遊技単位中打込玉数と遊技単位中賞球数の加算を開始するとともに、該遊技単位中において発生した大当り回数である特賞継続回数（初期値１）の加算を開始した後、Ｓ１４へ進んで該発生した大当りに関する情報を、前記大当り情報テーブルに登録する大当り処理を実施する。
【００５１】
この大当り処理を具体的に説明すると、該初当たりが発生した場合においては、図９に示す遊技情報テーブルに前回の遊技状態判定において登録された遊技状態データが、低確率通常遊技状態を示す「０００」となることから、この遊技情報テーブルに前回の遊技状態判定において登録された遊技状態データを判定して、大当り種別を通常遊技状態中大当り（初当たり）と特定する。尚、前回の遊技状態判定において登録された遊技状態データが「０１０」であれば確変中大当りであると特定し、「０１１」であれば時短中大当りと特定する。
【００５２】
これら特定した大当り種別を、前記大当り情報テーブルにおいて該大当りが該当する回数に対応して、通常遊技状態中大当り（初当たり）である場合には無印、確変中大当りである場合には「○」印を、時短中大当りであれば「△」を登録するとともに、当該大当りの発生時刻を登録する。
【００５３】
そして、前回の大当り（１回目は起動時）から該大当りが発生するまでの特賞間における特賞間スタート回数、特賞間打込玉数、特賞間賞球数、特賞間始動率、並びに特賞間ベースを登録或いは算出するとともに、該大当り開始時点の差玉数を一時記憶しておく。尚、これら一時記憶した大当り開始時点の差玉数は、大当り終了時（前記遊技状態データが１１０以外となった時点）における差玉数から差し引かれることで、該減算後の数値が、該大当り中において遊技者が獲得した差玉である「特賞差玉」として大当り情報テーブルに登録されるようになっていて、これらの大当り処理を実施した後、前記Ｓ１へ戻る。
【００５４】
一方、該大当りが初当たりでない場合には、該大当りが確率中大当り或いは時短中大当りであることから、既に遊技単位開始フラグがセットされているとともに、前記図１１に示す遊技単位情報テーブルには、該遊技単位が該当する登録が存在することとなるため、前記Ｓ８の判定において遊技単位開始フラグが有りと判定されてＳ１２へ進み、図９の遊技情報テーブルにおいて前回の遊技状態判定にて登録された遊技状態データが「１１０」つまり、大当り状態であったかを判定する。尚、このＳ１２における大当り状態の判定は、該大当り中に繰返し遊技情報データが取得されることから、新たに大当り状態となった時点を特定するためのものである。
【００５５】
該発生した大当りが確率変動中或いは時短中において新たに発生したものである場合には、前記図９の遊技情報テーブルにおいて前回の遊技状態判定にて登録された遊技状態データが確率変動状態を示す「０１０」、或いは時短状態を示す「０１１」となるために、前記Ｓ１２の判定で不一致と判定されてＳ１３に進み、当該遊技単位の特賞継続回数に１が加算された後にＳ１４へ進むことで、この新たに発生した大当りに関する情報を前記図１０に示す大当り情報テーブルに登録する前述した大当り処理を実施する。
【００５６】
この大当り処理において、この新たに発生した大当りの種別（確変中大当り、或いは時短中大当り）と発生時刻、特賞間スタート等の各種特賞間データ、並びに特賞差玉の加算が開始される。尚、これら同一遊技単位中における大当りの場合には、該遊技単位の前回までの特賞差玉との累計差玉数が、該大当りにおける特賞差玉とともに、記憶されるようになっていて、これらの累計差玉数が、図１０に示す大当り情報の表示画面において、特賞差玉とともに括弧内に表示されるようになっている。
【００５７】
これら大当りの発生後において前記確率変動状態或いは時短状態となった場合には、前記送信データ列中の遊技状態データが、確率変動状態を示す「０１０」、或いは時短状態を示す「０１１」となるために、前記Ｓ２並びにＳ３では不一致と判定されてＳ４へ進むこことで、「０１０」と一致する場合には、Ｓ６へ進んで高確率確変状態と判定し、「０１０」と不一致である場合には、普通有利状態である時短状態と判定し、これら判定した遊技状態と遊技状態データとを前記遊技情報テーブルに更新登録した後に、前記Ｓ１へ戻る。
【００５８】
次いで、これら遊技単位が終了する場合は、前記フルスペック機である機種ａでは、時短状態が終了して低確率通常状態となり、ハーフスペック機である機種ｂでは、時短状態が終了して低確率通常状態となる場合と「通常大当り」が終了して低確率通常状態となる場合とがあるが、いずれも新たに「低確率通常状態」となった時点とされることから、これら新たに「低確率通常状態」となった場合には、前記送信データ列中の遊技状態データが、低確率通常状態を示す「０００」となることで、Ｓ２において一致と判定してＳ１５に進んで、「低確率通常状態」と判定した後、Ｓ１６にて遊技単位開始フラグの有無を判定する。
【００５９】
遊技単位が終了する新たに「低確率通常状態」となった際には、遊技単位開始時にセットされた遊技単位開始フラグが必ず存在することとなることから、Ｓ１６において遊技単位開始フラグが存在すると判定されてＳ１７へ進むことで、該遊技単位開始フラグが削除されることで、図６（ａ）、図６（ｂ）に示すように、フルスペックであるパチンコ機２ａでは、初当たり（通常遊技状態中大当り）に関連した発生した全ての確変状態或いは時短中状態の双方またはいずれか一方が１つの遊技単位とされ、ハーフスペックのパチンコ機２ｂでは、初当たり（通常遊技状態中大当り）が「通常大当り」の場合には該大当りを１つの遊技単位とするとともに、初当たり（通常遊技状態中大当り）が「確変大当り」の場合には、該大当りに関連して発生した全ての確変状態と大当り状態と時短中状態とが１つの遊技単位とされるようになっている。
【００６０】
これらＳ１７による遊技単位開始フラグの削除の後、Ｓ１８へ進んで、前記遊技単位の開始時においてＳ１１において開始した遊技単位中打込玉数と遊技単位中賞球数の加算を終了して、これら遊技単位中打込玉数と遊技単位中賞球数に基づく遊技単位中差玉数を算出して図１１に示す前記遊技単位情報テーブルを更新するとともに（Ｓ１９）、各平均値を算出して該遊技単位情報テーブルを更新した後（Ｓ２０）、前記Ｓ１に戻るようになっており、このようにすることで、パチンコ機２ａ，２ｂ毎における遊技単位毎の各情報が前記遊技単位情報テーブルに登録されていくとともに、各パチンコ機２ａ，２ｂにて発生した大当りに関する情報が前記大当り情報テーブルに登録されていく。
【００６１】
これら大当り情報テーブルの登録内容は、図１０に示す大当り情報画面のように、各パチンコ機２ａ，２ｂ毎に表示されるようになっており、該大当り情報画面の下部には、該パチンコ機２ａ，２ｂにて発生した大当りの総回数である総特賞発生回数と、各大当り種別毎の発生回数、つまり、該パチンコ機２ａ，２ｂにて発生した初当たりである通常遊技状態中大当り回数の合計である総初当たり回数と、確変中大当りの総回数と、時短中大当りの総回数と、図１１に示す各遊技単位中の平均大当り回数である平均特賞継続回数とが表示されるとともに、大当り種別に記録されているマークが対応する大当り種別が表示されることで、該パチンコ機２ａ，２ｂにおいて発生した大当りの種別を把握できるようになっている。
【００６２】
以上説明したように、本実施例の遊技用システムを用いれば、前記大当り履歴出力手段である表示装置１４７により、各大当りの発生が、該大当りの種別を特定可能な情報であるマークに対応付けて出力されることで、前記普通有利状態中である時短状態中に発生した大当り状態の発生状況をも把握することができる。
【００６３】
前記各実施例における各要素は、本発明に対して以下のように対応している。本発明の請求項１は、打玉を遊技領域（遊技領域２０７）に打ち込んで遊技が行われ、普通始動領域（通過ゲート２１１）に打玉が進入することにより可変表示動作を行う普通可変表示部（普通可変表示部２１０）の表示結果が予め定められた特定の表示態様になったときに、特別始動領域を構成する普通可変入賞球装置（可変始動入賞球装置２１３）が打玉を受け入れ難い或いは受け入れない第２の状態から打玉を受け入れ易い第１の状態に変化し、該普通可変入賞球装置（可変始動入賞球装置２１３）に打玉が入賞することにより可変表示動作を行う特別可変表示部（特別可変表示部２０９）の表示結果が予め定められた特定の表示態様になったときに、遊技者にとって有利な大当り状態になり、前記特定の表示態様のうち特別の表示態様になったときに、前記特別可変表示部（特別可変表示部２０９）の表示結果が前記特定の表示態様となる確率が向上する遊技状態である確率変動状態となり、該確率変動状態中に前記特別可変表示部（特別可変表示部２０９）の表示結果が前記特別の表示態様以外の前記特定の表示態様になったときに前記確率変動状態が終了するとともに、前記特別可変表示部（特別可変表示部２０９）が可変表示動作を所定回数行うまでの間、前記普通可変入賞球装置（可変始動入賞球装置２１３）が前記第１の状態となる頻度が向上する遊技状態である普通有利状態となり、前記確率変動状態中以外の遊技状態である通常遊技状態において前記特別可変表示部（特別可変表示部２０９）の表示結果が前記特別の表示態様以外の特定の表示態様となったときに、前記普通有利状態となる遊技機（パチンコ機２ａ，２ｂ）の管理装置（ホールコンピュータ１４０）であって、前記遊技機（パチンコ機２ａ，２ｂ）における前記各々の遊技状態を特定可能な遊技状態情報（遊技状態データ）と、前記大当り状態の発生を特定可能な情報（遊技状態データ）を収集する遊技情報収集手段（収集ユニット５、中継ユニット６、通信部１４９）と、該遊技情報収集手段（収集ユニット５、中継ユニット６、通信部１４９）にて収集した情報（遊技状態データ）に基づき、前記遊技機（パチンコ機２ａ，２ｂ）において発生した大当りが、前記確率変動状態中、或いは前記普通有利状態中、或いは前記通常遊技状態中のいずれの遊技状態において発生した大当りであるかを示す大当り種別を特定する大当り種別特定手段（ＣＰＵ１４２）と、前記遊技機（パチンコ機２ａ，２ｂ）において発生した大当りの発生履歴を、前記大当り種別特定手段（ＣＰＵ１４２）にて特定した大当り種別とともに記憶する大当り履歴記憶手段（記憶装置１４５；大当り情報テーブル）と、該大当り履歴記憶手段（記憶装置１４５；大当り情報テーブル）の記憶内容に基づき、前記遊技機（パチンコ機２ａ，２ｂ）にて発生した大当りを、各大当りの種別を特定可能な情報に対応付けて、各大当りの発生順に出力する大当り履歴出力手段（表示装置１４７）と、備える。
【００６４】
本発明の請求項２は、打玉を遊技領域（遊技領域２０７）に打ち込んで遊技が行われ、普通始動領域（通過ゲート２１１）に打玉が進入することにより可変表示動作を行う普通可変表示部（普通可変表示部２１０）の表示結果が予め定められた特定の表示態様になったときに、特別始動領域を構成する普通可変入賞球装置（可変始動入賞球装置２１３）が打玉を受け入れ難い或いは受け入れない第２の状態から打玉を受け入れ易い第１の状態に変化し、該普通可変入賞球装置（可変始動入賞球装置２１３）に打玉が入賞することにより可変表示動作を行う特別可変表示部（特別可変表示部２０９）の表示結果が予め定められた特定の表示態様になったときに、遊技者にとって有利な大当り状態になり、前記特定の表示態様のうち特別の表示態様になったときに、前記特別可変表示部（特別可変表示部２０９）の表示結果が前記特定の表示態様となる確率が向上する遊技状態である確率変動状態となり、該確率変動状態中に前記特別可変表示部（特別可変表示部２０９）の表示結果が前記特別の表示態様以外の前記特定の表示態様になったときに前記確率変動状態が終了するとともに、前記特別可変表示部（特別可変表示部２０９）が可変表示動作を所定回数行うまでの間、前記普通可変入賞球装置（可変始動入賞球装置２１３）が前記第１の状態となる頻度が向上する遊技状態である普通有利状態となる遊技機（パチンコ機２ａ，２ｂ）の管理装置（ホールコンピュータ１４０）であって、前記遊技機（パチンコ機２ａ，２ｂ）における各々の遊技状態を特定可能な遊技状態情報（遊技状態データ）と、前記大当り状態の発生を特定可能な情報（遊技状態データ）を収集する遊技情報収集手段（収集ユニット５、中継ユニット６、通信部１４９）と、該遊技情報収集手段（収集ユニット５、中継ユニット６、通信部１４９）にて収集した情報（遊技状態データ）に基づき、前記遊技機（パチンコ機２ａ，２ｂ）において発生した大当りが、前記確率変動状態中、或いは前記普通有利状態中、或いは前記通常遊技状態中のいずれの遊技状態において発生した大当りであるかを示す大当り種別を特定する大当り種別特定手段（ＣＰＵ１４２）と、前記遊技機（パチンコ機２ａ，２ｂ）において発生した大当りの発生履歴を、前記大当り種別特定手段（ＣＰＵ１４２）にて特定した大当り種別とともに記憶する大当り履歴記憶手段（記憶装置１４５；大当り情報テーブル）と、該大当り履歴記憶手段（記憶装置１４５；大当り情報テーブル）の記憶内容に基づき、前記遊技機（パチンコ機２ａ，２ｂ）にて発生した大当りを、各大当りの種別を特定可能な情報に対応付けて、各大当りの発生順に出力する大当り履歴出力手段（表示装置１４７）と、備える。
【００６５】
本発明の請求項３は、前記遊技機毎の前記通常遊技状態中における大当りの発生回数を集計する通常大当り回数集計手段（ＣＰＵ１４２）と、該通常大当り回数集計手段（ＣＰＵ１４２）にて集計された遊技機毎の前記通常遊技状態中における大当りの発生回数を出力する通常大当り回数出力手段（表示装置１４７）と、を備える。
【００６６】
本発明の請求項４は、前記遊技情報収集手段（収集ユニット５、中継ユニット６、通信部１４９）にて収集された前記遊技状態情報（遊技状態データ）に基づいて、前記通常遊技状態において前記特別可変表示部（特別可変表示部２０９）の表示結果が前記特定の表示態様となって大当りが発生してから再び前記通常遊技状態となるまでの期間を１つの遊技単位として判定する遊技単位判定手段（ＣＰＵ１４２）と、該１つの遊技単位内における前記大当りの発生回数を前記１つの遊技単位毎に記憶する大当り発生回数記憶手段（記憶装置１４５；大当り情報テーブル）と、該大当り発生回数記憶手段（記憶装置１４５；大当り情報テーブル）の記憶内容に基づき、前記１つの遊技単位内における前記大当りの発生回数の平均を算出する遊技単位内平均大当り回数算出手段（ＣＰＵ１４２）と、を備える。
【００６７】
本発明の請求項５は、前記大当り種別特定手段（ＣＰＵ１４２）は、前記大当り状態中において前記遊技機（パチンコ機２ａ，２ｂ）から出力される大当り信号と、前記大当り状態中或いは前記確率変動状態中或いは前記普通有利状態中のいずれかの状態において前記遊技機（パチンコ機２ａ，２ｂ）から出力される非通常遊技状態信号と、前記普通有利状態中において前記遊技機（パチンコ機２ａ，２ｂ）から出力される普通有利状態信号（時短信号）と、に基づいて発生した大当り種別を特定する。
【００６８】
以上、本発明を図面により説明してきたが、本発明はこれら実施例に限られるものではなく、本発明の要旨を逸脱しない範囲における変更や追加があっても本発明に含まれることは言うまでもない。
【００６９】
例えば前記実施例では、フルスペックに該当する機種ａのパチンコ機２ａと、ハーフスペックに該当する機種ｂのパチンコ機２ｂの双方を使用しているが、本発明はこれに限定されるものではなく、これらのフルスペック或いはハーフスペックのいずれか一方のみの管理を行う遊技用管理装置であっても良い。
【００７０】
また、前記実施例では、図１０の大当り情報画面において、通常遊技状態中において発生した大当りである通常遊技状態中大当り（初当たり）の回数を集計して総初当り回数として表示するようにしており、このようにすることは、前記通常遊技状態中における大当り状態の総発生回数を簡便に把握することができることから好ましいが、本発明はこれに限定されるものではなく、これら集計による前記前記通常遊技状態中における大当り状態の総発生回数を表示しない構成としても良い。
【００７１】
また、前記実施例では、図８のフローに示す遊技状態判定処理において、前記特別可変表示部２０９の表示結果が前記特定の表示態様となって大当り状態が発生してから再び前記通常遊技状態となるまでの期間を、前記遊技単位開始フラグに基づいて１つの遊技単位として判定し、該１つの遊技単位中に発生した大当り回数を加算更新することで、図１１に示す遊技単位情報テーブルに、該１つの遊技単位中に発生した大当り回数が登録されるとともに、これら１つの遊技単位内における前記大当り状態の発生回数の平均が算出されるようになっており、このようにすることは、前記１つの遊技単位において、平均してどの程度の大当り状態が連続して発生しているかを簡便に把握することができることから好ましいが、本発明はこれに限定されるものではなく、これら１つの遊技単位内における前記大当り状態の発生回数の平均を算出しない構成としても良い。
【００７２】
また、前記実施例では、前記図８に示す遊技状態判定処理における遊技状態判定を、パチンコ機２ａ，２ｂから出力される大当り信号と、非通常遊技状態信号と、時短（普通有利状態）信号とに基づいて実施するようにしているが、本発明はこれに限定されるものではなく、これらの信号形態を図１２に示すように、前記非通常遊技状態信号に代えて、確率変動状態において出力される確変信号とし、該確変信号と、大当り信号並びに時短信号とが、前記収集ユニット５にて図１３に示す遊技状態データに変換するようにして、該変換データに基づいて遊技状態や大当り種別を特定するとともに、図１２に示すように、１つの遊技単位の判定を実施するようにしても良い。
【００７３】
また、前記実施例では、時短状態（普通有利状態）中において大当りが発生した場合には、該発生した大当り、並びに該大当りに関連して発生した大当り並びに確変状態や時短状態までもが、同一の遊技単位と判定されるようになっているが、本発明はこれに限定されるものではなく、図１４に示すように、時短状態（普通有利状態）中において普通有利状態中フラグをセットしておき、新たに大当りが発生した際に、ＳＳ９に示すように、該普通有利状態中フラグの有無を判定して、該普通有利状態中フラグがある場合には、ＳＳ１９からＳＳ２２に示す遊技単位を終了する処理を実施した後に、ＳＳ２３における判定にてＳＳ１０に戻って、新たな遊技単位フラグをセットするようにして、時短状態（普通有利状態）中において発生した大当りに関連して発生した大当り並びに確変状態や時短状態を、該時短状態（普通有利状態）が該当する遊技単位と個別するようにしても良い。
【００７４】
また、前記実施例のパチンコ機２ａ，２ｂの前記時短状態における始動入賞口２１４への入賞がし易くなる前記第１の状態に変化する頻度を向上させる手法として、前記普通可変表示部２１０の普通図柄の可変表示から停止表示までの時間が通常の遊技状態よりも短縮（本実施例では前記可変表示から停止表示までの時間が通常遊技状態において３０秒から３秒へ短縮）されることで向上されるとともに、前記可動片２１５が開成している期間が通常遊技状態よりも延長（通常遊技状態では０．５秒が３秒に延長）されることで実施されているが、本発明はこれに限定されるものではなく、これら前記第１の状態に変化する頻度を向上させる手法としては、▲１▼前記普通図柄による抽選終了かでの時間短縮と、▲２▼前記可動片２１５が開成時間の延長と、に加えて、▲３▼前記普通図柄による抽選確率の向上すること、を実施しても良く、これら▲１▼、▲２▼、▲３▼の各要素を適宜に組み合わせて前記第１の状態に変化する頻度を向上させるようにしても良い。尚、前記可動片２１５が開成時間の延長に代えて、前記可動片２１５の開成回数を増加させるようにしても良い。
【００７５】
また、前記実施例のパチンコ機２ａ，２ｂでは、前記普通可変表示部２１０が個別に設けられているが、本発明はこれに限定されるものではなく、これら普通可変表示部２１０が前記特別可変表示部２０９内に設けられたものであっても良い。
【００７６】
また、前記実施例では、「確変大当り」であった場合には、該大当りの終了後に確率変動状態となるようなパチンコ機２ａ，２ｂとしているが、「確変大当り」であった場合には、該大当り状態の発生とともに確率変動状態となるようなパチンコ機としても良い。
【００７７】
また、前記実施例では、フルスペックのパチンコ機２ａにあっては、「通常の大当り」の終了後に時短状態が付与され、また、ハーフスペックのパチンコ機２ｂにあっては、「確変大当り」の発生後に付与される確率変動状態において発生した「通常の大当り」の終了後に時短状態が付与されるようになっているが、これら遊技機としては、前記「通常の大当り」の発生とともに時短状態が付与されるフルスペックのパチンコ機や、前記確率変動状態において発生した「通常の大当り」の発生とともに時短状態が付与されるハーフスペックのパチンコ機を用いるようにしても良い。
【００７８】
また、前記実施例では、大当りの発生とともに確率変動状態或いは時短状態が終了するパチンコ機２ａ，２ｂを用いているが、本発明はこれに限定されるものではなく、これらパチンコ機として、大当りの終了とともに、確率変動状態或いは時短状態が終了するようなパチンコ機としても良い。
【００７９】
尚、前記実施例に用いたパチンコ機２ａ，２ｂにあっては、前記時短状態中において「通常の大当り」が発生した場合に、再度時短状態が付与される構成とされているが、本発明はこれに限定されるものではなく、前記時短状態中において「通常の大当り」が発生した場合に、該時短状態が終了するパチンコ機としても良い。
【００８０】
【発明の効果】
本発明は以下の効果を奏する。
（ａ）請求項１項の発明によれば、前記大当り履歴出力手段により、各大当りの発生が、該大当りの種別を特定可能な情報に対応付けて出力されることで、前記普通有利状態中に発生した大当り状態の発生状況をも把握することができる。
【００８１】
（ｂ）請求項２項の発明によれば、前記大当り履歴出力手段により、各大当りの発生が、該大当りの種別を特定可能な情報に対応付けて出力されることで、前記普通有利状態中に発生した大当り状態の発生状況をも把握することができる。
【００８２】
（ｃ）請求項３項の発明によれば、前記通常遊技状態中における大当り状態の総発生回数を簡便に把握することができる。
【００８３】
（ｄ）請求項４項の発明によれば、前記１つの遊技単位において、平均してどの程度の大当り状態が連続して発生しているかを簡便に把握することができる。
【００８４】
（ｅ）請求項５項の発明によれば、前記大当り状態が発生した際の遊技状態を正確に特定することができる。
【図面の簡単な説明】
【図１】本発明の実施例における遊技用システムの構成を示すシステム図である。
【図２】本発明の実施例において用いたパチンコ機並びにカードユニットの正面図である。
【図３】本発明の実施例におけるパチンコ機の操作部を示す上面図である。
【図４】本発明の実施例に用いたホールコンピュータの構成を示すブロック図である。
【図５】本実施例に用いたパチンコ機とホールコンピュータとの接続状態を示すブロック図である。
【図６】本実施例に用いたパチンコ機から出力される各信号の出力形態を示す図である。
【図７】本実施例に用いた収集ユニットにおける入力信号と送信データの相関を示す図である。
【図８】本発明の実施例のホールコンピュータにおける遊技状態判定処理の処理内容を示すフロー図である。
【図９】本発明の実施例のホールコンピュータに記憶されている遊技情報テーブルの構成を示す図である。
【図１０】本発明の実施例のホールコンピュータにおいて表示される大当り情報画面を示す図である。
【図１１】本発明の実施例のホールコンピュータにおいて表示される遊技単位情報画面を示す図である。
【図１２】遊技機から出力されるその他の信号形態例を示す図である。
【図１３】図１２に示すその他の信号形態例に基づく収集ユニットにおける入力信号と送信データの相関例を示す図である。
【図１４】ホールコンピュータにおけるその他の遊技状態判定処理の処理内容例を示す図である。
【符号の説明】
２ａ        パチンコ機（フルスペック機）
２ｂ        パチンコ機（ハーフスペック機）
３        カードユニット
５        収集ユニット
６        中継ユニット
８        通信ケーブル
９        信号ケーブル
１０      通信ケーブル
１４        操作部
１５      返却ボタンスイッチ
１６      貸出ボタンスイッチ
１７      度数表示部
１８      操作基板
２６      アウト球計数器
１４０    ホールコンピュータ（遊技用管理装置）
１４１    データバス
１４２    ＣＰＵ（中央演算処理回路）
１４３    ＲＡＭ
１４４    ＲＴＣ
１４５    記憶装置
１４６    入力装置
１４７    表示装置
１４８    プリンタ
１４９    通信部
２０２    ガラス扉枠
２０３    打球供給皿
２０４    余剰玉受皿
２０５    打球操作ノブ
２０５    打球操作ハンドル
２０６    遊技盤
２０７    遊技領域
２０９    特別可変表示部
２１０    普通可変表示部
２１１    通過ゲート
２１３    可変始動入賞球装置
２１４    始動入賞口
２１５    可動片
２１６    可変入賞球装置
２２０    開閉板
２２４    入賞口
２２６    アウト口
２３１    遊技制御基板
２３５    ランプ制御基板
２３７    賞球制御基板
２７０    音声制御基板
２８０    表示制御基板
２９１    発射制御基板
２９７    玉払出装置
２９８    情報出力基板
【図１】
2004166958.tif 000003
【図２】
2004166958.tif 000004
【図３】
2004166958.tif 000005
【図４】
2004166958.tif 000006
【図５】
2004166958.tif 000007
【図６】
2004166958.tif 000008
【図７】
2004166958.tif 000009
【図８】
2004166958.tif 000010
【図９】
2004166958.tif 000011
【図１０】
2004166958.tif 000012
【図１１】
2004166958.tif 000013
【図１２】
2004166958.tif 000014
【図１３】
2004166958.tif 000015
【図１４】
2004166958.tif 000016